【事件の表示】
　平成６年特許願第２４３３９号「感熱記録材料」拒絶査定不服審判事件〔平成７年８月２９日出願公開、特開平７−２２８０５５〕について、次のとおり審決する。
【結　論】
　本件審判の請求は、成り立たない。
【理　由】
１　本願発明
　本願は、平成６年２月２２日の出願であって、その特許を受けようとする発明は、平成１３年１１月８日付け手続補正書により補正された明細書の記載からみて、その特許請求の範囲の請求項１及び２に記載されたとおりであると認められるところ、請求項１に係る発明（以下、「本願発明」という。）は、次のとおりのものである。
「通常無色ないし淡色の染料前駆体と加熱時反応して該染料前駆体を発色せしめる電子受容性化合物とを含有する感熱記録層、該記録層上にオーバーコート層を設けた感熱記録材料において、該電子受容性化合物として下記化１（一般式１）で示されるサリチル酸誘導体又はその金属塩を少なくとも一種含有し、且つ該オーバーコート層内の顔料成分の重量比率が総重量に対して３０重量％以上であることを特徴とする感熱記録材料。
【化１】
（式中、Ｘ１及びＸ２は、水素原子、アルキル基、アラルキル基、アリール基、又はハロゲン原子を表し、Ｒは、アルキル基、アルケニル基、アラルキル基、又はアリール基を表す。）」
　
２　拒絶理由の概要
　これに対し、原査定の拒絶の理由の概要は、本願発明は、この出願前に国内または外国において頒布された下記の刊行物に記載された発明に基づいて、その出願前にその発明の属する技術分野における通常の知識を有する者が、容易に発明をすることができたものと認められるから、特許法第２９条第２項の規定により特許を受けることができない。
　　　　　　　　　　　　　　　記
引用文献１：欧州特許出願公開第５３４２５７号明細書（１９９３年）（特　　　　　　開平６−７２９８４号公報参照）
引用文献２：特開昭６３−１８２１８５公報
引用文献３：特開平３−２９３１９６号公報
引用文献４：特開昭６０−２５５４７８号公報　　　　　　　　　　　　」
というものである。
　
３　各引用文献に記載された発明
(１)　引用文献１
(1a)「本発明は、感熱記録材料に関し、特に未発色部（地肌）および発色画像の保存安定性を向上させた感熱記録材料に関する。さらには感熱記録材料用の電子受容性化合物として有用なサリチル酸誘導体の金属塩ならびに該サリチル酸誘導体およびその金属塩の製造方法に関する。」（第３頁第５〜９行）
(1b)「本発明は、電子供与性発色性化合物および電子受容性化合物を含有
する感熱記録材料において、該電子受容性化合物として一般式（１）で表されるサリチル酸誘導体または／および該誘導体の金属塩を少なくとも１種含有する感熱記録材料である。
【化９】
（式中、Ｘ１およびＸ２は水素原子、アルキル基、アルコキシ基、アラルキル基、アリール基またはハロゲン原子を表し、Ｙ１およびＹ２は酸素原子または硫黄原子を表し、Ｒ１は水素原子、アルキル基、アラルキル基またはアリール基を表し、Ｒ２はアルキル基、アルケニル基、アラルキル基またはアリール基を表す）
　また、一般式（１）で表されるサリチル酸誘導体の２価、３価または４価の金属塩である。」（第４頁第２５〜４４行）
と記載され、
(1c)該サリチル酸誘導体の例示化合物として、
「　７７）４−（ｎ−オクチルオキシカルボニルアミノ）サリチル酸
　　８０）４−（ｎ−デシルオキシカルボニルアミノ）サリチル酸
　１１９）４−（フェニルオキシカルボニルアミノ）サリチル酸　　　」
が記載され、　
(1d)「なお、必要に応じて感熱記録層の表面および／または裏面に保護層を設けたり、支持体と感熱記録層の間に下塗り層を設けることも勿論可能であり、さらには粘着加工を施すなど感熱記録材料の製造方法における各種の公知技術が適用できる。」（第２５頁第３３〜３６行）
(1e)「第６表および第７表より明らかなように、一般式（１）で表されるサリチル酸誘導体または／および該誘導体の金属塩を電子受容性化合物として用いた本発明の感熱記録材料は、従来の電子受容性化合物を用いて作成した感熱記録材料に比較して、未発色部および発色画像の保存安定性（耐湿熱性、耐油性および耐筆記具性）は非常に優れている。」（第４２頁第３７〜４１行）
と記載されている。なお、翻訳文として、対応特許である特開平６−７２９８４号公報を採用した。
　
(２)　引用文献２
(2a)「支持体の表面に、電子供与性無色染料および電子受容性化合物を含有する感熱発色層および該発色層の上に保護層を有し、支持体の裏面に粘着層を設けた感熱記録用ラベルにおいて、該電子受容性化合物の、２５°Ｃにおけるエタノ−ルへの溶解度が１０以下である事を特徴とする感熱記録用ラベル。」（特許請求の範囲）に関し、
(2b)従来技術について、「特に近年感熱記録材料の発達が著しいが、感熱記録材料においては、溶剤等によりカブリが生じてしまう欠点、及び発色体が油脂、薬品、指紋等により、変褪色を起こしてしまう欠点を有している。そのため、水性インキペン、油性インキペン、蛍光ペン、朱肉、接着剤、糊、ジアゾ現像液等の文具、及び事務用品等あるいはハンドクリーム、乳液等の化粧品等に触れると、白地部が発生したリ、発色部が変褪色を起こしたりして商品価値を著しく損ねていた。また、ＰＯＳ用ラベルとしての感熱記録材料の需要も近年目覚ましいのびを示しており、薬品に強い感熱記録用ラベルに対する市場の要求は非常に大きい。」（第１頁右下欄第１３行〜第２頁左上欄第５行）
(2c)発明の目的について、「本発明の目的は、発色性、生保存性および発色画像の安定性が良好で、また記録材料の耐薬品性が優れ、しかもその他の具備すべき条件を満足した素材を用いた感熱記録用ラベルを提供することである。」（第２頁左上欄第１３〜１７行）
(2d)保護層について、「本発明の感熱記録用ラベルの感熱層の上には保護層が設けられる。保腹層の主成分は皮膜形成性のポリマーである。」（第８頁左上欄第７〜９行）
(2e)保護層中の顔料について、「上記の保護層中には印字時のサーマルヘッドとマツチング性の向上、保護層の耐水性の向上などの目的で顔料、金属石鹸、ワックス、架橋剤などが添加される。・・・（中略）・・・顔料には酸化亜鉛、炭酸カルシウム、・・・（中略）・・・水酸化アルミニウム、シリカ、非晶質シリカなどがあり、それらの添加量はポリマーの総重量の０．５〜４倍、特に好ましくは０．８〜３．５倍の量である。上記の範囲の下限以下の量ではヘッドマツチング性の向上に無効であり、上限以上の量では感熱記録材料の感度の低下が著しくその商品価値を損ねる。」（第８頁右上欄第８〜末行）
(2f)実施例として、「さらに得られた感熱層上に下記の組成の塗布液をワイヤーバーで乾燥重量３ｇ／ｍ２なるように塗布し、温度５０℃のオープン内で乾燥し、保護層を形成させた。
シリカ変性ポリビニルアルコール（クラレ社、PVAR２１０５）　　　１部
カオリン（ジョージアカオブライト）　　　　　　　　　　　　０．５部
コロイダルシリカ（日産化学社スノーデックスＳ）　　　　　　１．２部
ステアリン酸亜鉛エマルジョン（中京油脂社ハイドリンＺ−７）０．１部
パラフインワックス（中京油脂社セロゾール４２８）　　　　　０．１部」（第９頁左上欄下から第３行〜右上欄第１３行）
と記載されている。
　
(３)　引用文献３
(3a)「本発明は感熱記録体に関し、白色度が高く、また耐薬品性、耐可塑性及び耐水性に優れ、且つ、発色性に優れた感熱記録体に関するものである。」（第１頁左下欄末行〜右下欄第３行）
(3b)「本発明は、有機溶媒を媒体とする感熱記録層用塗液を支持体上に塗布乾燥する技術において、呈色剤としてアルコキシ基を有する総炭素数１２以上のサリチル酸誘導体及び／又はその金属塩を使用し、且つ接着剤として、上記有機溶媒可溶の樹脂を使用するところに重大な特徴を有するものである。尚、本発明の感熱記録体では、上記の感熱記録層上に保護層、特に有機溶媒に可溶の樹脂を含有する保護層を設けた構成であってもよい。」（第２頁左下欄第３〜１１行）
(3c)「更に、記録層及び保護層中には、各種の助剤を添加することができ、例えば分散剤、トリアゾール系等の紫外線吸収剤、その他消泡剤、蛍光染料、着色染料等が挙げられる。」（第７頁右下欄第１〜４行）
(3d)「加えて、記録ヘッドへのカス付着を改善するためにカオリン、クレー、タルク、炭酸カルシウム、炭酸マグネシウム、焼成クレ−、酸化チタン、珪藻土、微粒子状無水シリカ、活性白土等顔料を添加することもできる。」（第７頁右下欄第１２〜１６行）
と記載され、
(3e)実施例として、「次に保護層としてＣ液を前記感熱記録層上に２g／ｍ３となるように塗布乾燥して感熱記録体を得た。
　　Ｃ液：ステアリン酸亜鉛　　　　　　　　　　　　　　　　　　１部
　　　　　ポリメチルメタクリレ−ト　　　　　　　　　　　　　　９部　
　　　　　炭酸カルシウム 　　　　　　　　 　　　　　　　　　　５部
　　　　　トルエン　　　　　　　　　　　　　　　　　　　　　９０部」（第８頁左下欄第４〜１０行）
と記載されている。
　
４　対比
　前記摘記事項からみて、引用文献１には、以下の発明が記載されいるといえる。
「電子供与性発色性化合物および電子受容性化合物を含有する感熱記録層を有する感熱記録材料であって、該電子受容性化合物として一般式（１）で表されるサリチル酸誘導体または／および該誘導体の金属塩を少なくとも１種を含有し、必要に応じて該感熱記録層の表面に保護層を設けてなる感熱記録材料。
　
（式中、Ｘ１およびＸ２は水素原子、アルキル基、アルコキシ基、アラルキル基、アリール基またはハロゲン原子を表し、Ｙ１およびＹ２は酸素原子または硫黄原子を表し、Ｒ１は水素原子、アルキル基、アラルキル基またはアリール基を表し、Ｒ２はアルキル基、アルケニル基、アラルキル基またはアリール基を表す）」
　
　そこで、本願発明と引用文献１記載の発明とを対比する。
　引用文献１に記載された一般式において、Ｘ１及びＸ２がアルコキシ基ではなく、Ｙ１及びＹ２が酸素原子であり、且つＲ１が水素原子である場合が、本願発明における一般式に相当するものであって、摘記事項(1c)から明らかなように、本願発明の実施例１で用いられている「４−ｎ−オクチルオキシカルボニルアミノサリチル酸亜鉛」、実施例７で用いられている「４−フェニルオキシカルボニルアミノサリチル酸亜鉛」及び実施例８で用いられている「４−ｎ−デシルオキシカルボニルアミノサリチル酸亜鉛」は、引用文献１記載の発明におけるサリチル酸誘導体の例示化合物として記載されているサリチル酸の金属塩であるから、引用文献１記載の発明における電子受容性化合物と、本願発明における電子受容性化合物とは同一である。
　また、引用文献１記載の発明における「電子供与性発色化合物」が、本願発明における「通常無色ないし淡色の染料前駆体」に相当する。
　さらに、引用文献１記載の発明において、必要に応じて感熱記録層の表面に設けられる「保護層」は、本願発明における「オーバーコート層」に相当する。
　したがって、両者は、
「通常無色ないし淡色の染料前駆体と加熱時反応して該染料前駆体を発色せしめる電子受容性化合物とを含有する感熱記録層を設けた感熱記録材料において、該電子受容性化合物として下記化１（一般式１）で示されるサリチル酸誘導体又はその金属塩を少なくとも一種含有する感熱記録材料。
【化１】
（式中、Ｘ１及びＸ２は、水素原子、アルキル基、アラルキル基、アリール基、又はハロゲン原子を表し、Ｒは、アルキル基、アルケニル基、アラルキル基、又はアリール基を表す。）」
である点で一致しているが、以下の点で相違している。
相違点：
　本願発明では、オーバーコート層を設けることを要件とし、且つ、該オーバーコート層内の顔料成分の重量比率が総重量に対して３０重量％以上であるとするものであるのに対して、引用文献１記載の発明では、オーバーコー層については必要に応じて設けるとしているだけであって、その具体的な言及はされていない点。
　
５　相違点についての判断
(１)　相違点に係る構成の想到容易性について
　引用文献２及び引用文献３等に記載されているように、感熱記録材料において、感熱記録層の表面に設けられるオーバーコート層（保護層）に、顔料３９重量％以上含有せしめることは、この出願前に既によく知られている常套手段である。
　すなわち、引用文献２には、保護層の耐水性の向上などの目的で顔料等が添加されることが記載されると共に、その添加量について、「それらの添加量はポリマーの総重量の０．５〜４倍、特に好ましくは０．８〜３．５倍の量である。上記の範囲の下限以下の量ではヘッドマツチング性の向上に無効であり、上限以上の量では感熱記録材料の感度の低下が著しくその商品価値を損ねる。」（摘記事項(2e)参照）と記載されており、ポリマー総重量の０．８〜３．５倍をオーバーコート層の総重量に対する重量％に換算すると、約４４〜７８重量％となる。また、同引用文献に記載された実施例では、顔料であるカオリンとコロイダルシリカの合計が、１．７部／２．９部＝約５９重量％と計算される。
　同様に、引用文献３には、記録ヘッドへのカス付着を改善するために顔料を添加することもできることが記載されており、また、その実施例においては、顔料である炭酸カルシウムは、５部／１５部＝約３３重量％と計算される。
　してみれば、引用文献１記載の発明において、顔料成分の重量比率が総重量に対して３０重量％以上であるオーバーコート層を設けることに、格別な創意を要するものではない。
　
(２)　本願発明における作用効果の予測性について
ア　請求人は、請求の理由において、概ね、以下のように主張している。
「本願発明の技術思想は従来の感熱記録材料からすればお互いに相反する特長である、極めて良好な画像部の水性ペン適性、油性ペン適性、耐油性、耐可塑剤性及び捺印定着性及び耐擦れ被り性を兼備えた感熱記録材料を提供するため、感熱記録層上のオーバーコート層中で朱肉等の捺印インク媒体を完全に又はほとんど吸収し、感熱記録層の電子供与性化合物を特定なものに置換することにより感熱記録層に到達した捺印インク媒体による悪影響を回避する。本発明では顔料成分をオーバーコート層の総重量に対して３０重量％以上、好ましくは４０〜７０重量％含有させ、特定な電子供与性化合物として特定のサリチル酸誘導体又はその金属塩を用いる。
　従来技術においては本願発明の技術思想は全く窺えない。お互いに相反する特長である、極めて良好な画像部の水性ペン適性、油性ペン適性、耐油性、耐可塑剤性及び捺印定着性、耐擦れ被り性を兼備えた感熱記録材料を提供しようとする技術思想は全く窺えない。画像部の水性ペン適性、油性ペン適性、耐油性、耐可塑剤性を改良しようとする従来技術と捺印定着性、耐擦れ被り性を改良しようとする従来技術を組合わせて容易とする判断は典型的な後知恵によるものである。審査官殿の御認定はこの典型的な後知恵に基づくものである。」
　
イ　しかしながら、感熱記録材料において、顔料を含有するオーバーコート層を設けることにより、請求人が主張するところの、水性ペン適性、油性ペン適性、耐油性、捺印定着性等を向上せしめることは、この出願の前に既に周知である。
　例えば、この出願前に頒布された刊行物である特開平３−２０５１８１号公報（引用文献５とする）には、以下の記載がある。
(5a)「本発明は感熱記録材料に関するものであり、さらに詳細には、鉛筆あるいはシャープペンシル等による筆記性（以後単に鉛筆筆記性と言う）に優れ、水性インキのゴム印のにじみが少ないという一般事務用紙並みの性能を持ち、さらに蛍光ペンフェルトペン等による画像部の消色も白地部の発色カプリの生じない、かつ手触り、表面光沢等が紙の風合いに近い直接感熱記録材料に関する。」（第１頁左下欄末行〜右下欄第７行）
(5b)「本発明の目的は、鉛筆筆記性が良好で水性インキに対するニジミが少なく、蛍光ペン等による画像部の消色、白地部の発色カプリの生じない、かつ手触り、表面光沢等のいわゆる風合いが一般事務用紙に近い感熱記録紙を提供することである。」（第２頁左下欄第１０〜１５行）
(5c)「本発明の目的は、（１）紙支持体上に電子供与性無色染料前駆体と電子受容性化合物の呈色反応を利用した感熱記録層を設け、さらに感熱記録層上に中間層、水溶性高分子と顔料からなる保護層を順次積層してなる感熱記録材料において．該保護層中に添加する願料として平均粒子径２．０〜５．０μｍのシリカと平均粒子径０．５〜２．０μｍの軽質炭酸カルシウムを併用したことを特徴とする感熱記録材料。」（第２頁左下欄下から第３行〜右下欄第６行）
(5d)「顔料の総量についても特に限定しないが、全保護層質量の５０％を越えるとその隠蔽力のため発色濃度が低くなりがちである。」（第７頁左上欄第１〜４行）
　また、同じく特開平１−２２１２７９号公報（引用文献６とする）にも、以下の記載がある。
(6a)「本発明は感熱記録体に関し、特に高感度で、鉛筆筆記性や捺印定着性、水性ペンや油性ペンに対する適性等に優れ、しかも記録層表面の光沢度が低い感熱記録体に関するものである。」（第１頁左下欄下から第６〜３行）(6b)「本発明は、支持体上に、a）無色ないしは淡色の塩基性染料と該染料と接触して呈色する呈色剤を含有する感熱記録層、ｂ）塩基性染料、呈色剤、増感剤、塩基性染料と増感剤、呈色剤と増感剤の群から選ばれる１種とバインダ−を主成分とする中間層、ｃ）ＪＩＳ　Ｋ　５１０１で規定される吸油量が８０〜４００ｍｌ／１００ｇの顔料およびバインダーを含有するオーバーコ−ト層を順次設けたことを特徴とする感熱記録体である。」（第２頁右上欄下から第６行〜左下欄第３行）
(6c)「上記顔料の使用量については、特に限定するものではなく、用いる顔料の吸油量等に応じて適宜選択しうるものであるが、一般にはバインダー１００重量部に対して５〜５００重量部、好ましくは３０〜３００重量部、より好ましくは５０〜２００重量部の範囲で調節するのが望ましい。」（第９頁左上欄第２〜７行）
　さらに、同じく特開平１−２５５５８８号公報（引用文献７とする）には「発色剤及び該発色剤と接触して呈色する呈色剤を含有する感熱記録層上に、ＪＩＳＫ５１０１で規定される吸油量が８０〜４００ｍｌ／１００ｇで且つ平均粒子径が４〜２０μｍの顔料を含有するオーバーコート層を設けたことを特徴とする感熱記録体。」（特許請求の範囲）におけるオーバーコート層中における顔料の含有量について、「オーバーコート層中における上記特定の顔料の使用量については、使用する顔料の吸油量やバインダーの結着力に応じて適宜調節し得るものであるが、顔料の特性を効果的に引き出すために感熱記録層上に結着できる範囲で顔料比率を高めることが望ましく、かかる顔料がオーバーコ−ト層の全固形分に対して１０〜８０重量％、より好ましくは２５〜７０重量％となるように調節するのが望ましい。」（第２頁左下欄下から第４行〜右下欄第５行）と記載されている。
　さらにまた同じく特開平１−３０１３６８号公報（引用文献８とする）にも、感熱記録体におけるオーバーコート層について、「本発明では、かかる感熱記録層が有する特性を損なうことなく更に耐スクラッチ性を付与するために、バインダー１重量部に対して０．５〜３．０重量部の顔料を含有し、」（第６頁左上欄第４〜７行）と記載されており、該「耐スクラッチ性」は、本願明細書に記載された耐擦れ被り性に類似するものである。
　
ハ　また、引用文献１には、「一般式（Ｉ）で表されるサリチル酸誘導体または／および該誘導体の金属塩を電子受容性化合物として用いた本発明の感熱記録材料は、従来の電子受容性化合物を用いて作成した感熱記録材料に比較して、未発色部および発色画像の保存安定性（耐湿熱性、耐油性および耐筆記具性）は非常に優れている。」（摘記事項(1e)）と記載されている。
　
ニ　してみれば、請求人が主張するところの、「極めて良好な画像部の水性ペン適性、油性ペン適性、耐油性、耐可塑剤性及び捺印定着性、耐擦れ被り性を兼備えた感熱記録材料が得られる」という作用効果は、引用文献１記載の発明自体が有する作用効果と、感熱記録材料における「顔料を含有するオーバーコート層」についてこの出願前に既によく知られている作用効果とから、当業者が容易に予期しうる範囲内のものである。
　したがって、本願発明が、引用文献１記載の発明に、「顔料成分の重量比率が総重量に対して３０重量％以上であるオーバーコート層を設ける」という周知技術を適用したことにより、予期し得ない格別な作用効果を奏しているとすることはできない。
　
６　むすび
　以上のとおり、本願発明は、引用文献１に記載された発明及びその発明の属する技術の分野における周知技術に基づいて、その出願前にその発明の属する技術の分野における通常の知識を有する者が、容易に発明をすることができたものであるから、特許法第２９条第２項の規定により特許を受けることができない。
　そして、本願の請求項１に係る発明が特許を受けることができないものであるから、同請求項２に係る発明について審理するまでもなく、本願は拒絶すべきものである。
　よって、結論のとおり審決する。